(57)【要約】【課題】  リモコンを落下衝撃から確実に保護すること。【解決手段】    リモコンＲにより遠隔操作される電気機器１の角部に４つ発泡合成樹脂製緩衝材Ｓ１〜Ｓ４を嵌合させた状態でその電気機器１を箱体２内に収納する梱包装置であって、前記各緩衝材Ｓ１〜Ｓ４のうち、適当な隣接する２つの緩衝材がリモコン対応緩衝材Ｓ１，Ｓ２とされ、該両リモコン対応緩衝材Ｓ１，Ｓ２の上縁７ａ，７ｂから境界線を横断するように下向きにポケットＰが凹設されており、そのポケットＰにリモコンＲが収納されている。【選択図】        図１
0003132417.tif 000002
【実用新案登録請求の範囲】
【請求項１】
リモコンにより遠隔操作される電気機器の角部に４つ発泡合成樹脂製緩衝材を嵌合させ
た状態でその電気機器を箱体内に収納する梱包装置であって、前記４つの緩衝材が互いに
つながった状態で一体成形され、その一体成形品の各緩衝材間の境界線に沿って切れ目が
形成され、その切れ目に沿って一体成形品を破断することにより各緩衝材が分離可能に形
成され、前記各緩衝材のうち、適当な隣接する２つの緩衝材がリモコン対応緩衝材とされ
、該両リモコン対応緩衝材の外周面にその両リモコン対応緩衝材の上縁から境界線を横断
するように下向きにポケットが凹設され、前記リモコンが長尺狭幅リモコンと短尺広幅リ
モコンとのいずれか一方であって、前記ポケットが、長尺狭幅リモコンに対応する上段ポ
ケットと、該上段ポケットの底面中央から掘り下げた短尺広幅リモコンに対応する下段ポ
ケットとからなり、両リモコン対応緩衝材の分離前の状態で上段ポケットの境界線横断方
向の長さが長尺狭幅リモコンの長さから電気機器の角部に嵌合させた両リモコン対応緩衝
材間の間隔を差し引いた値と同一またはわずかに大きく設定されると共に、その上段ポケ
ットの深さが長尺狭幅リモコンの幅と同一またはわずかに大きく設定され、下段ポケット
の境界線横断方向の長さが上段ポケットの境界線横断方向の長さよりも小さく設定される
と共に、その下段ポケットの底面から上段ポケットの上縁までの深さが短尺広幅リモコン
の幅と同一またはわずかに大きく設定されており、前記一体成形品を切れ目に沿って破断
することにより分離された４つの緩衝材を電気機器の角部に嵌合させ、その電気機器を箱
体内に収納した後、長尺狭幅リモコンは上段ポケットに収納され、短尺広幅リモコンは上
段ポケットから下段ポケットにかけて収納されることを特徴とする梱包装置。
【請求項２】
リモコンにより遠隔操作される電気機器の角部に４つ発泡合成樹脂製緩衝材を嵌合させ
た状態でその電気機器を箱体内に収納する梱包装置であって、前記４つの緩衝材が互いに
つながった状態で一体成形され、その一体成形品の各緩衝材間の境界線に沿って切れ目が
形成され、その切れ目に沿って一体成形品を破断することにより各緩衝材が分離可能に形
成され、前記各緩衝材のうち、適当な隣接する２つの緩衝材がリモコン対応緩衝材とされ
、該両リモコン対応緩衝材の外周面にその両リモコン対応緩衝材の上縁から境界線を横断
するように下向きにポケットが凹設されており、前記一体成形品を切れ目に沿って破断す
ることにより分離された４つの緩衝材を電気機器の角部に嵌合させ、その電気機器を箱体
内に収納した後、リモコンがポケットに収納されることを特徴とする梱包装置。
【請求項３】
前記リモコンが長尺狭幅リモコンと短尺広幅リモコンとのいずれか一方であって、前記
ポケットが、長尺狭幅リモコンに対応する上段ポケットと、該上段ポケットの底面中央か
ら掘り下げた短尺広幅リモコンに対応する下段ポケットとからなっていることを特徴とす
る請求項２に記載の梱包装置。
【請求項４】
前記両リモコン対応緩衝材の分離前の状態で上段ポケットの境界線横断方向の長さが長
尺狭幅リモコンの長さから電気機器の角部に嵌合させた両リモコン対応緩衝材間の間隔を
差し引いた値と同一またはわずかに大きく設定されると共に、その上段ポケットの深さが
長尺狭幅リモコンの幅と同一またはわずかに大きく設定され、下段ポケットの境界線横断
方向の長さが上段ポケットの境界線横断方向の長さよりも小さく設定されると共に、その
下段ポケットの底面から上段ポケットの上縁までの深さが短尺広幅リモコンの幅と同一ま
たはわずかに大きく設定されており、長尺狭幅リモコンを上段ポケットに収納し、短尺広
幅リモコンを上段ポケットから下段ポケットにかけて収納するようにしたことを特徴とす
る請求項３に記載の梱包装置。
【考案の詳細な説明】
【技術分野】
【０００１】
本考案は、リモコンにより遠隔操作される電気機器の梱包装置に関し、特に、リモコン
を落下衝撃から確実に保護できるようにしたものである。
【背景技術】
【０００２】
従来、梱包装置の技術として図１０に示すものがあり、図１０（ａ）は同要部の斜視図
、図１０（ｂ）は同梱包状態の水平断面図である。
【０００３】
図１０に示すように、電気機器１の角部に４つの発泡合成樹脂製緩衝材Ｓ１〜Ｓ４を嵌
合させた状態でその電気機器１を段ボール製箱体２内に収納しており、電気機器１を遠隔
操作するためのリモコンＲが取扱説明書３と一緒に透明合成樹脂製袋体４内に入った状態
で電気機器１上に載置されている。なお、関連する技術として特許文献１に記載したもの
がある。
【特許文献１】実用新案登録第３０９３７２１号公報
【考案の開示】
【考案が解決しようとする課題】
【０００４】
上記従来の構成では、リモコンＲが電気機器１の上面に載置されているだけであるから
、落下試験や運搬中の落下などにより、そのリモコンＲが衝撃的に移動して損傷されるお
それがある。
【０００５】
また、リモコンＲを電気機器１の側面と箱体２との間の隙間Ｍに挿入することも考えら
れるが、これでも、そのリモコンＲの衝撃的移動を押さえるものがないから、上記難点を
解消することができない。
【０００６】
本考案は、上記従来の欠点に鑑み、リモコンを落下衝撃から確実に保護できるようにし
た梱包装置を提供することを目的としている。
【課題を解決するための手段】
【０００７】
上記目的を達成するため、請求項１記載の考案は、リモコンにより遠隔操作される電気
機器の角部に４つ発泡合成樹脂製緩衝材を嵌合させた状態でその電気機器を箱体内に収納
する梱包装置であって、前記４つの緩衝材が互いにつながった状態で一体成形され、その
一体成形品の各緩衝材間の境界線に沿って切れ目が形成され、その切れ目に沿って一体成
形品を破断することにより各緩衝材が分離可能に形成され、前記各緩衝材のうち、適当な
隣接する２つの緩衝材がリモコン対応緩衝材とされ、該両リモコン対応緩衝材の外周面に
その両リモコン対応緩衝材の上縁から境界線を横断するように下向きにポケットが凹設さ
れ、前記リモコンが長尺狭幅リモコンと短尺広幅リモコンとのいずれか一方であって、前
記ポケットが、長尺狭幅リモコンに対応する上段ポケットと、該上段ポケットの底面中央
から掘り下げた短尺広幅リモコンに対応する下段ポケットとからなり、両リモコン対応緩
衝材の分離前の状態で上段ポケットの境界線横断方向の長さが長尺狭幅リモコンの長さか
ら電気機器の角部に嵌合させた両リモコン対応緩衝材間の間隔を差し引いた値と同一また
はわずかに大きく設定されると共に、その上段ポケットの深さが長尺狭幅リモコンの幅と
同一またはわずかに大きく設定され、下段ポケットの境界線横断方向の長さが上段ポケッ
トの境界線横断方向の長さよりも小さく設定されると共に、その下段ポケットの底面から
上段ポケットの上縁までの深さが短尺広幅リモコンの幅と同一またはわずかに大きく設定
されており、前記一体成形品を切れ目に沿って破断することにより分離された４つの緩衝
材を電気機器の角部に嵌合させ、その電気機器を箱体内に収納した後、長尺狭幅リモコン
は上段ポケットに収納され、短尺広幅リモコンは上段ポケットから下段ポケットにかけて
収納されることを特徴としている。
【０００８】
請求項２に記載の考案は、リモコンにより遠隔操作される電気機器の角部に４つ発泡合
成樹脂製緩衝材を嵌合させた状態でその電気機器を箱体内に収納する梱包装置であって、
前記４つの緩衝材が互いにつながった状態で一体成形され、その一体成形品の各緩衝材間
の境界線に沿って切れ目が形成され、その切れ目に沿って一体成形品を破断することによ
り各緩衝材が分離可能に形成され、前記各緩衝材のうち、適当な隣接する２つの緩衝材が
リモコン対応緩衝材とされ、該両リモコン対応緩衝材の外周面にその両リモコン対応緩衝
材の上縁から境界線を横断するように下向きにポケットが凹設されており、前記一体成形
品を切れ目に沿って破断することにより分離された４つの緩衝材を電気機器の角部に嵌合
させ、その電気機器を箱体内に収納した後、リモコンがポケットに収納されることを特徴
としている。
【０００９】
請求項３に記載の考案は、請求項２に記載の考案において、前記リモコンが長尺狭幅リ
モコンと短尺広幅リモコンとのいずれか一方であって、前記ポケットが、長尺狭幅リモコ
ンに対応する上段ポケットと、該上段ポケットの底面中央から掘り下げた短尺広幅リモコ
ンに対応する下段ポケットとからなっていることを特徴としている。
【００１０】
請求項４に記載の考案は、請求項３に記載の考案において、前記両リモコン対応緩衝材
の分離前の状態で上段ポケットの境界線横断方向の長さが長尺狭幅リモコンの長さから電
気機器の角部に嵌合させた両リモコン対応緩衝材間の間隔を差し引いた値と同一またはわ
ずかに大きく設定されると共に、その上段ポケットの深さが長尺狭幅リモコンの幅と同一
またはわずかに大きく設定され、下段ポケットの境界線横断方向の長さが上段ポケットの
境界線横断方向の長さよりも小さく設定されると共に、その下段ポケットの底面から上段
ポケットの上縁までの深さが短尺広幅リモコンの幅と同一またはわずかに大きく設定され
ており、長尺狭幅リモコンを上段ポケットに収納し、短尺広幅リモコンを上段ポケットか
ら下段ポケットにかけて収納するようにしたことを特徴としている。
【考案の効果】
【００１１】
請求項１に記載の考案は実施の一形態（図１〜図９参照）に対応するものであって、こ
れによれば、箱体内に収納した電気機器に嵌合する４つの緩衝材のうち、２つのリモコン
対応緩衝材に凹設したポケットにリモコン（長尺狭幅リモコンまたは短尺広幅リモコン）
が収納されているから、落下試験や運搬中の落下などにより衝撃がかかっても、該リモコ
ンが従来のように衝撃的に移動して損傷されるおそれがなく、そのリモコンを落下衝撃か
ら確実に保護することができる。
【００１２】
特に、４つの緩衝材を一体成形すると同時にポケットを凹設するようになっており、そ
の凹設のための特別の工程が不要であるから、その不要となった分だけ経済的である。
【００１３】
また、ポケットが上段ポケットと下段ポケットとからなり、その上段ポケットに長尺狭
幅リモコンを収納すると共に、その上段ポケットから下段ポケットにかけて短尺広幅リモ
コンを収納するようになっており、１つのポケットで長さ及び幅が異なる２種類のリモコ
ンを効率良く収納することができるから、使い勝手がよい。
【００１４】
更に、長尺狭幅リモコン及び短尺広幅リモコンの形状に合わせて上段ポケット及び下段
ポケットの長さ及び深さを設定しているから、そのポケットで長尺狭幅リモコン及び短尺
広幅リモコンを不測に動かないように確実に支持することができる。
【００１５】
請求項２に記載の考案は基本形態に対応するものであって、これによれば、箱体内に収
納した電気機器に嵌合する４つの緩衝材のうち、２つのリモコン対応緩衝材に凹設したポ
ケットにリモコンが収納されているから、落下試験や運搬中の落下などにより衝撃がかか
っても、該リモコンが従来のように衝撃的に移動して損傷されるおそれがなく、そのリモ
コンを落下衝撃から確実に保護することができる。
【００１６】
特に、４つの緩衝材を一体成形すると同時にポケットを凹設するようになっており、そ
の凹設のための特別の工程が不要であるから、その不要となった分だけ経済的である。
【００１７】
請求項３に記載の考案によれば、ポケットが上段ポケットと下段ポケットとからなり、
その上段ポケットに長尺狭幅リモコンを収納すると共に、その上段ポケットから下段ポケ
ットにかけて短尺広幅リモコンを収納するようになっており、１つのポケットで長さ及び
幅が異なる２種類のリモコンを効率良く収納することができるから、使い勝手がよい。
【００１８】
請求項４に記載の考案によれば、長尺狭幅リモコン及び短尺広幅リモコンの形状に合わ
せて上段ポケット及び下段ポケットの長さ及び深さを設定しているから、そのポケットで
長尺狭幅リモコン及び短尺広幅リモコンを不測に動かないように確実に支持することがで
きる。
【考案を実施するための最良の形態】
【００１９】
図１〜図９は本考案の実施の一形態である梱包装置を示すものであって、図１は同箱体
の上側フラップを開放した状態の斜視図、図２（ａ）は同長尺狭幅リモコンを収納した状
態の縦断面図、図２（ｂ）はＡ−Ａ矢視図、図３（ａ）は同短尺広幅リモコンを収納した
状態の縦断面図、図３（ｂ）はＢ−Ｂ矢視図、図４は同４つの緩衝材からなる一体成形品
の斜視図、図５（ａ）は同一体成形品の平面図、図５（ｂ）は同一体成形品の正面図、図
５（ｃ）は同一体成形品の底面図、図５（ｄ）は同一体成形品の側面図、図６はＣ−Ｃ矢
視図、図７（ａ）はＤ−Ｄ矢視図、図７（ｂ）はＥ−Ｅ矢視図、図７（ｃ）はＦ−Ｆ矢視
図、図８は同各緩衝材を分離した状態の正面図、図９（ａ）は同長尺狭幅リモコンの正面
図、図９（ｂ）は同両リモコン対応緩衝材の分離前の正面図、図９（ｃ）は同両リモコン
対応緩衝材の分離後の正面図、図９（ｄ）は同短尺広幅リモコンの正面図である。
【００２０】
図１〜図３及び図９に示すように、リモコンＲとして長尺狭幅リモコンＲ１と短尺広幅
リモコンＲ２とのいずれか一方を使用する電気機器１の梱包装置に関するものであり、図
４〜図７に示すように、裏面に電気機器１に嵌合するための凹部５を形成した４つの緩衝
材Ｓ１〜Ｓ４が互いにつながった状態で成形金型により一体成形され、その一体成形品Ｓ
の各緩衝材Ｓ１〜Ｓ４間の境界線Ｋに沿って切れ目６が形成され、その切れ目６に沿って
一体成形品Ｓを破断することにより各緩衝材Ｓ１〜Ｓ４が分離可能に形成されている（図
８参照）。
【００２１】
図４〜図９に示すように、各緩衝材Ｓ１〜Ｓ４のうち、適当な隣接する２つの緩衝材が
リモコン対応緩衝材Ｓ１，Ｓ２とされ、該両リモコン対応緩衝材Ｓ１，Ｓ２の外周面にそ
の両リモコン対応緩衝材Ｓ１，Ｓ２の上縁７ａ，７ｂから境界線Ｋを横断するように下向
きにポケットＰが凹設され、そのポケットＰは、長尺狭幅リモコンＲ１に対応する上段ポ
ケットＰａと、該上段ポケットＰａの底面９ａの中央から掘り下げた短尺広幅リモコンＲ
２に対応する下段ポケットＰｂとからなっている。
【００２２】
図９（ａ）〜（ｄ）に示すように、長尺狭幅リモコンＲ１の長さＨ１が短尺広幅リモコ
ンＲ２の長さＨ２よりも大きく設定される（Ｈ１＞Ｈ２）と共に、その長尺狭幅リモコン
Ｒ１の幅Ｔ１が短尺広幅リモコンＲ２の幅Ｔ２よりも小さく設定されている（Ｔ１＜Ｔ２
）。また、電気機器１の角部に嵌合させた両リモコン対応緩衝材Ｓ１，Ｓ２間の間隔Ｌが
短尺広幅リモコンＲ２の長さＨ２よりも小さく設定されている。
【００２３】
図９（ａ）〜（ｃ）に示すように、両リモコン対応緩衝材Ｓ１，Ｓ２の分離前の状態で
上段ポケットＰａの境界線Ｋ横断方向の長さｈ１が長尺狭幅リモコンＲ１の長さＨ１から
電気機器１の角部に嵌合させた両リモコン対応緩衝材Ｓ１，Ｓ２間の間隔Ｌを差し引いた
値（Ｈ１−Ｌ）と同一またはわずかに大きく設定される（ｈ１≧Ｈ１−Ｌ）と共に、上段
ポケットＰａの深さｔ１が長尺狭幅リモコンＲ１の幅Ｔ１と同一またはわずかに大きく設
定されている（ｔ１≧Ｔ１）。
【００２４】
また、図９（ｂ）〜（ｄ）に示すように、両リモコン対応緩衝材Ｓ１，Ｓ２の分離前の
状態で下段ポケットＰｂの境界線Ｋ横断方向の長さｈ２が上段ポケットＰａの長さｈ１よ
りも小さく設定される（ｈ２＜ｈ１）と共に、その下段ポケットＰｂの底面９ｂから上段
ポケットＰａの上縁７ａ，７ｂまでの深さｔ２が短尺広幅リモコンＲ２の幅Ｔ２と同一ま
たはわずかに大きく設定されている（ｔ２≧Ｔ２）。上記以外の構成は図１０に示す構成
とほぼ同じであるから、同一部分に同一符号を付してその説明を省略する。
【００２５】
梱包手順を説明すると、図４〜図８に示すように、一体成形品Ｓを切れ目６に沿って破
断することにより分離された４つの緩衝材Ｓ１〜Ｓ４を電気機器１の角部に嵌合させ、そ
の緩衝材Ｓ１〜Ｓ４付き電気機器１を箱体２内に収納（図１参照）した後、長尺狭幅リモ
コンＲ１の場合には、上段ポケットＰａ内に収納し（図２参照）、短尺広幅リモコンＲ２
の場合には、上段ポケットＰａから下段ポケットＰｂにかけて収納し（図３参照）、箱体
２の上側フラップ２ａ（図１参照）で該箱体２の上面開口部を塞ぐ。
【００２６】
上記構成によれば、箱体２内に収納した電気機器１に嵌合する４つの緩衝材Ｓ１〜Ｓ４
のうち、２つのリモコン対応緩衝材Ｓ１，Ｓ２に凹設したポケットＰ（上段ポケットＰａ
及び下段ポケットＰｂ）にリモコンＲ（長尺狭幅リモコンＲ１または短尺広幅リモコンＲ
２）が収納されているから、落下試験や運搬中の落下などにより衝撃がかかっても、該リ
モコンＲが従来のように衝撃的に移動して損傷されるおそれがなく、そのリモコンＲを落
下衝撃から確実に保護することができる。
【００２７】
特に、４つの緩衝材Ｓ１〜Ｓ４を一体成形すると同時にポケットＰを凹設するようにな
っており、その凹設のための特別の工程が不要であるから、その不要となった分だけ経済
的である。
【００２８】
また、ポケットＰが上段ポケットＰａと下段ポケットＰｂとからなり、その上段ポケッ
トＰａに長尺狭幅リモコンＲ１を収納すると共に、その上段ポケットＰａから下段ポケッ
トＰｂにかけて短尺広幅リモコンＲ２を収納するようになっており、１つのポケットＰで
長さＨ１，Ｈ２及び幅Ｔ１，Ｔ２が異なる２種類のリモコンＲ１，Ｒ２を効率良く収納す
ることができるから、使い勝手がよい。
【００２９】
更に、長尺狭幅リモコンＲ１及び短尺広幅リモコンＲ２の形状に合わせて上段ポケット
Ｐａ及び下段ポケットＰｂの長さｈ１，ｈ２及び深さｔ１，ｔ２を設定しているから、そ
のポケットＰで長尺狭幅リモコンＲ１及び短尺広幅リモコンＲ２を不測に動かないように
確実に支持することができる。
【図面の簡単な説明】
【００３０】
【図１】本考案の実施の一形態である梱包装置を示す箱体の上側フラップを開放した状態の斜視図である。
【図２】（ａ）は同長尺狭幅リモコンを収納した状態の縦断面図、（ｂ）はＡ−Ａ矢視図である。
【図３】（ａ）は同短尺広幅リモコンを収納した状態の縦断面図、（ｂ）はＢ−Ｂ矢視図である。
【図４】同４つの緩衝材からなる一体成形品の斜視図である。
【図５】（ａ）は同一体成形品の平面図、（ｂ）は同一体成形品の正面図、（ｃ）は同一体成形品の底面図、（ｄ）は同一体成形品の側面図である。
【図６】図５（ｂ）のＣ−Ｃ矢視図である。
【図７】（ａ）は図５（ｂ）のＤ−Ｄ矢視図、（ｂ）は図５（ｂ）のＥ−Ｅ矢視図、（ｃ）は図５（ｂ）のＦ−Ｆ矢視図である。
【図８】同各緩衝材を分離した状態の正面図である。
【図９】（ａ）は同長尺狭幅リモコンの正面図、（ｂ）は同両リモコン対応緩衝材の分離前の正面図、（ｃ）は同両リモコン対応緩衝材の分離後の正面図、（ｄ）は同短尺広幅リモコンの正面図である。
【図１０】（ａ）は従来例の要部の斜視図、（ｂ）は同梱包状態の水平断面図である。
【符号の説明】
【００３１】
１          電気機器
２          箱体
６          切れ目
７ａ，７ｂ  上縁
９ａ，９ｂ  底面
Ｓ          一体成形品
Ｓ１，Ｓ２  リモコン対応緩衝材
Ｓ３，Ｓ４  緩衝材
Ｒ１        長尺狭幅リモコン
Ｒ２        短尺広幅リモコン
Ｈ１        長尺狭幅リモコンの長さ
Ｈ２        短尺広幅リモコンの長さ
Ｔ１        長尺狭幅リモコンの幅
Ｔ２        短尺広幅リモコンの幅
Ｋ          境界線
Ｐ          ポケット
Ｐａ        上段ポケット
Ｐｂ        下段ポケット
ｈ１        上段ポケットの境界線横断方向の長さ
ｈ２        下段ポケットの境界線横断方向の長さ
ｔ１        上段ポケットの深さ
ｔ２        下段ポケットの深さ
Ｌ          両リモコン対応緩衝材間の間隔
【図１】
0003132417.tif 000003
【図２】
0003132417.tif 000004
【図３】
0003132417.tif 000005
【図４】
0003132417.tif 000006
【図５】
0003132417.tif 000007
【図６】
0003132417.tif 000008
【図７】
0003132417.tif 000009
【図８】
0003132417.tif 000010
【図９】
0003132417.tif 000011
【図１０】
0003132417.tif 000012